【手続補正書】
【提出日】平成27年10月4日(2015.10.4)
【手続補正１】
【補正対象書類名】特許請求の範囲
【補正対象項目名】全文
【補正方法】変更
【補正の内容】
【特許請求の範囲】
【請求項１】
光学ズームレンズシステムであって、
１以上の光学要素を変位させるように構成された少なくとも２つのマイクロアクチュエータと、
少なくとも４つの光学要素であって、前記少なくとも４つの光学要素のそれぞれが、光信号伝搬経路に沿って光信号を通過させるように構成され、前記少なくとも４つの光学要素のそれぞれが、少なくとも１つの自由形状面を有する、前記少なくとも４つの光学要素を有し、
第１及び第２の光学要素が第１の光学要素のペアを形成し、第３及び第４の光学要素が第２の光学要素のペアを形成するように、前記少なくとも４つの光学要素がペア状構成で配置されており、
前記ペアのそれぞれが、前記少なくとも２つのマイクロアクチュエータに応答して、前記システムの屈折力を変化させるように、前記光信号伝搬経路に対して実質的に横方向に変位可能である、光学ズームレンズシステム。
【請求項２】
前記マイクロアクチュエータが、少なくとも部分的にＭＥＭＳ装置を有する、請求項１に記載の光学ズームレンズシステム。
【請求項３】
前記光の軸が折れ曲がっている、請求項１に記載の光学ズームレンズシステム。
【請求項４】
光学ズームレンズシステムであって、
１以上の光学要素を変位させるように構成された少なくとも１つの可動微小構造と、
少なくとも４つの光学要素であって、前記少なくとも４つの光学要素のそれぞれが、光信号伝搬経路に沿って光信号を通過させるように構成され、前記少なくとも４つの光学要素のそれぞれが、少なくとも１つの自由形状面を有する、前記少なくとも４つの光学要素を有し、
第１及び第２の光学要素が第１の光学要素のペアを形成し、第３及び第４の光学要素が第２の光学要素のペアを形成するように、前記少なくとも４つの光学要素がペア状構成で配置されており、
前記ペアのそれぞれが、前記少なくとも１つの可動微小構造により、前記システムの屈折力及び焦点を変化させるように、前記光信号伝搬経路に対して実質的に横方向に変位可能であり、
最初に前記光信号を受ける前記光学要素の前面から前記光信号が射出する前記光学要素の裏面までに測定される分離距離が、約３０ｍｍ以下である、光学ズームレンズシステム。
【請求項５】
前記少なくとも１つの可動微小構造が、少なくとも部分的にＭＥＭＳ装置を有する、請求項４に記載の光学ズームレンズシステム。
【請求項６】
小型カメラで使用される光信号経路を有する光学ズームシステムであって、
少なくとも１つの自由形状面を有する少なくとも１つのバリフォーカルレンズ構造と、
第１及び第２の端部を有する少なくとも１つの屈曲懸架部であって、前記第１の端部が固定位置に接続され、前記第２の端部が少なくとも前記１つのバリフォーカルレンズ構造の少なくとも一部に接続されてその間に力が印加されるようになっている、前記少なくとも１つの屈曲懸架部と、
前記光信号経路に対して実質的に横方向に前記少なくとも１つのバリフォーカルレンズ構造を移動させるように、前記屈曲懸架部により印加される力に対して前記少なくとも１つのバリフォーカルレンズ構造の少なくとも一部に力を印加するための少なくとも１つの小型アクチュエータを有する、光学ズームシステム。
【請求項７】
前記少なくとも１つのバリフォーカルレンズ構造が、少なくとも１つの自由形状面をそれぞれ有する光学要素のペアを有する、請求項６に記載の光学ズームシステム。
【請求項８】
前記少なくとも１つのバリフォーカルレンズ構造が、少なくとも２つのバリフォーカルレンズ構造を有し、
前記少なくとも１つの屈曲懸架部が、異なるバリフォーカルレンズ構造にそれぞれ結合した少なくとも２つの屈曲懸架部を有し、
前記少なくとも１つの小型アクチュエータが、異なるバリフォーカルレンズ構造に力をそれぞれ印加する少なくとも２つの小型アクチュエータを有する、請求項７に記載の光学ズームシステム。
【請求項９】
前記小型アクチュエータが、少なくとも部分的にＭＥＭＳ装置を有する、請求項８に記載の光学ズームシステム。
【請求項１０】
前記少なくとも４つの光学要素の最初の光学要素から前記少なくとも４つの光学要素の最後の前記光学要素までの光信号経路が、約３０ｍｍ未満である、請求項１に記載の光学ズームシステム。
【請求項１１】
前記光学要素の第１のペアがアルバレスレンズ及びローマンレンズを含む群のうちの１つとして動作するよう構成された第１のバリフォーカルレンズを有する、請求項１に記載の光学ズームシステム。
【請求項１２】
前記光学要素の第２のペアがアルバレスレンズ及びローマンレンズを含む群のうちの１つとして動作するよう構成された第２のバリフォーカルレンズを有する、請求項１１に記載の光学ズームシステム。
【請求項１３】
前記光学要素の第１及び第２のペアがアルバレスレンズ及びローマンレンズを含む群のうちの１つを有し、各光学要素が、表面を有し、前記表面の少なくとも一部が、３次よりも高次の多項式に従って相関する、請求項１に記載の光学ズームシステム。
【請求項１４】
前記第１及び第２のペアの少なくとも１つの焦点距離が、前記ペアの前記光学要素を相互に対して横に変位させることで調整される、請求項１に記載の光学ズームシステム。
【請求項１５】
前記第１のペアの焦点距離及び前記第２のペアの焦点距離が、少なくとも２Ｘの光学ズーム機能を提供するように相互に対して調整される、請求項１に記載の光学ズームシステム。
【請求項１６】
固定焦点距離レンズを更に有する、請求項１に記載の光学ズームシステム。
【請求項１７】
前記固定焦点距離レンズが、少なくともいくらかの収差補正を提供する、請求項１６に記載の光学ズームシステム。
【請求項１８】
前記固定焦点距離レンズが、少なくとも１つの球面レンズを有する、請求項１６に記載の光学ズームシステム。
【請求項１９】
前記固定焦点距離レンズが、前記システムの屈折力に貢献する、請求項１６に記載の光学ズームシステム。
【請求項２０】
非球面表面を有する少なくとも１つのレンズを更に有する、請求項１に記載の光学ズームシステム。
【請求項２１】
前記表面の少なくとも一部が収差補正機能に応じて変形される、請求項１３に記載の光学ズームシステム。
【請求項２２】
最初の光学要素として前記光信号経路に配置された光学窓を更に有する、請求項１に記載の光学ズームシステム。
【請求項２３】
画像をセンサに送達するように構成され、
最初の光学要素と前記センサの間の光学経路長がズーミング又は焦点合わせの間に変化しない、請求項２２に記載の光学ズームシステム。
【請求項２４】
前記システムを通って運ばれる光量を制御するための前記光線経路に沿って配置された少なくとも１つの孔を更に有する、請求項１に記載の光学ズームシステム。
【請求項２５】
約２Ｘの光学ズーム機能が、約数十ミクロンから約１ミリメートルの範囲の相対的な横変位で達成される、請求項１４に記載の光学ズームシステム。
【請求項２６】
前記マイクロアクチュエータに対向する力を提供するための少なくとも１つの屈曲部を更に有する、請求項１に記載の光学ズームシステム。
【請求項２７】
前記マイクロアクチュエータが、前記１つ以上の光学要素を磁気又は電磁力の結果により変位させる、請求項１に記載の光学ズームシステム。
【請求項２８】
前記光の軸がプリズムによって折り曲げられる、請求項１に記載の光学ズームシステム。
【請求項２９】
前記光学要素のペアが、少なくとも１つの微小構造に取り付けられている、請求項１に記載の光学ズームシステム。
【請求項３０】
光信号経路に沿って位置合わせされた入射窓と、
前記光信号経路を前記入射窓に対して約９０度に折り曲げるプリズムと、
前記光信号経路に沿って位置合わせされたバリフォーカル光学要素の第１のペアであって、前記第１のペアの焦点距離を変化させるように相互に対して横に変位されるように構成された前記第１のペアと、
前記光信号経路に沿って位置合わせされたバリフォーカル光学要素の第２のペアであって、前記第２のペアの焦点距離を変化させるように相互に対して横に変位されるように構成された前記第２のペアと、
前記第１及び第２のペアの前記光学要素の変位の組み合わせがセンサの面での光学拡大を提供するように、前記第１及び第２のペアの横変位を生じさせる複数のアクチュエータと、
少なくともいくらかの収差補正を提供するための前記第２のペアと前記センサの前記面の間の少なくとも１つのレンズ要素を有し、
前記光学経路における最初の光学要素の前面から前記光学経路における最後の前記光学要素の裏面までの分離距離が、約３０ｍｍ以下である、光学ズームシステム。
【手続補正２】
【補正対象書類名】明細書
【補正対象項目名】００８９
【補正方法】変更
【補正の内容】
【００８９】
本出願の特定の実施形態の各側面は、既存のズームレンズシステム、器具、装置、要素又は構造と関連する少なくとも１つの側面、問題、限定及び／又は欠点に対処したものである。特定の実施形態に関連する特徴、側面及び／又は利点が本願において説明されたが、他の実施形態もまたそのような特徴、側面及び／又は利点を呈する場合があり、すべての実施形態が必ずしも、本出願の範囲に包含されるために、そのような特徴、側面及び／又は利点を有する必要は無い。上記システム、要素、プロセス、又はその代替例のいくつかが、他の異なるシステム、要素、プロセス及び／又は用途と好ましく組み合わされ得ることが当業者に理解されるであろう。更に、当業者により開示された種々の実施形態に対する種々の変形例、代替例及び／又は改善が、本出願の範囲及び精神の範囲内で為され得る。例えば、ここに記述された開示のプロセスによる種々の動作が異なる順序で実施される場合があり、また更に、開示の動作を実施するために、追加の又はより少ないステップが使用され得ることが理解される。このような変形例、代替例及び／又は改善は、以下の特許請求の範囲に包含される。
＜出願時の特許請求の範囲＞
＜書類名＞  特許請求の範囲
＜請求項１＞
１以上の光学要素を変位させるように構成された少なくとも１つの微小機械（ＭＥＭＳ）アクチュエータと、
少なくとも４つのＭＥＭＳ駆動光学要素を有し、
前記少なくとも４つのＭＥＭＳ駆動光学要素のそれぞれが、光信号伝搬経路に沿って光信号を通過させるように構成され、前記少なくとも４つのＭＥＭＳ駆動光学要素のそれぞれが、少なくとも１つの自由形状面を有し、
第１及び第２のＭＥＭＳ駆動光学要素が第１の光学要素のペアを形成し、第３及び第４のＭＥＭＳ駆動光学要素が第２の光学要素のペアを形成するように、前記少なくとも４つのＭＥＭＳ駆動光学要素がペア式の構成で配置されており、
前記少なくとも４つのＭＥＭＳ駆動光学要素のそれぞれが、前記第１及び第２の光学要素のペアの一方又は両方の屈折力の変化を許容するように、前記光信号伝搬経路に対して実質的に横方向に変位可能である、ズームレンズシステム。
＜請求項２＞
前記少なくとも４つのＭＥＭＳ駆動光学要素が、少なくとも約２倍の光学拡大を提供するよう構成されている、請求項１のズームレンズシステム。
＜請求項３＞
前記少なくとも４つのＭＥＭＳ駆動光学要素が、約３０ｍｍよりも小さい距離だけ離間した最初のレンズ要素及び最後のレンズ要素を含む、請求項１のズームレンズシステム。
＜請求項４＞
前記少なくとも４つのＭＥＭＳ駆動光学要素が、前記ＭＥＭＳズームレンズシステムに光学ズーム及びオートフォーカス機能のそれぞれを提供するように構成されている、請求項１のズームレンズシステム。
＜請求項５＞
前記第１の光学要素のペアが、アルバレスレンズ及びローマンレンズのうちの１つとして動作するよう構成された第１のバリフォーカルレンズを有する、請求項４のズームレンズシステム。
＜請求項６＞
前記第２の光学要素のペアが、アルバレスレンズ及びローマンレンズのうちの１つとして動作するよう構成された第２のバリフォーカルレンズを有する、請求項５のズームレンズシステム。
＜請求項７＞
光学ズーム機能が、前記第１のバリフォーカルレンズの第１の焦点距離及び前記第２のバリフォーカルレンズの第２の焦点距離の組み合わされた調整を通して実現される、請求項６のズームレンズシステム。
＜請求項８＞
オートフォーカス機能が、前記第２のバリフォーカルレンズと独立に前記第１のバリフォーカルレンズの前記第１の焦点距離の調整を行うことを通して実現される、請求項６のズームレンズシステム。
＜請求項９＞
前記第１及び第２の光学要素のペアの１つ又は両方が、アルバレス及びローマンレンズのうちの１つとして動作するよう構成された対応するバリフォーカルレンズを有する、請求項４のズームレンズシステム。
＜請求項１０＞
前記第１及び第２の光学要素のペアの１つ又は両方が、対応するバリフォーカルレンズを有し、前記バリフォーカルレンズが、３よりも高次の多項式に従って相関する面を有する、請求項４のズームレンズシステム。
＜請求項１１＞
複数のＭＥＭＳ屈曲懸架部であって、
それぞれのＭＥＭＳ屈曲懸架部が、前記少なくとも４つのＭＥＭＳ駆動光学要素の１つのＭＥＭＳ駆動光学要素に結合し、
それぞれのＭＥＭＳ屈曲懸架部が、前記光信号伝搬経路に対して実質的に横方向に弾性変形するよう構成された、
前記複数のＭＥＭＳ屈曲懸架部を更に有する、請求項１のズームレンズシステム。
＜請求項１２＞
前記光信号伝搬経路に対して実質的に横方向に前記第１のＭＥＭＳ駆動光学要素を前記第２のＭＥＭＳ駆動光学要素に対して変位させるよう構成された第１の変位器具を更に有し、前記第１の変位器具は、
少なくとも１つの基準支持構造、
前記第１のＭＥＭＳ駆動光学要素を担持するよう構成された第１のプラットホーム、
前記第１のプラットホームと前記少なくとも１つの基準支持構造の間に結合した第１の屈曲懸架部、
前記第２のＭＥＭＳ駆動光学要素を担持するよう構成された第２のプラットホーム、及び、
前記第２のプラットホームと前記少なくとも１つの基準支持構造の間に結合した第２の屈曲懸架部を有し、
前記第１の屈曲懸架部及び前記第２の屈曲懸架部が、前記光信号伝搬経路に対して実質的に横方向に沿って弾性変形するよう構成されている、請求項１のズームレンズシステム。
＜請求項１３＞
前記第１の変位器具が、前記第１のプラットホーム及び前記第２のプラットホームのそれぞれに変位力を印加するよう構成された駆動機構のセットを更に有し、前記駆動機構のセットが、少なくとも１つのＭＥＭＳアクチュエータを含む、請求項１２のズームレンズシステム。
＜請求項１４＞
前記駆動機構のセットが、少なくとも１つの変位増幅機構と結合した前記少なくとも１つのＭＥＭＳアクチュエータを有し、前記変位増幅機構が、前記光信号伝搬経路に対して実質的に横方向に前記第１のプラットホームを前記第２のプラットホームに対して変位させるよう構成されている、請求項１３のズームレンズ装置。
＜請求項１５＞
前記変位増幅機構が、第１のＭＥＭＳアクチュエータ及び前記第１のプラットホームの間に結合した第１の屈曲ビームのセットを含む、請求項１４のズームレンズシステム。
＜請求項１６＞
前記変位増幅機構が、第２のＭＥＭＳアクチュエータ及び前記第２のプラットホームの間に結合した第２の屈曲ビームのセットを更に含む、請求項１４のズームレンズシステム。
＜請求項１７＞
前記ズームレンズシステムを通って伝搬する光の量を制限するよう構成された可変開口を更に有する、請求項１のズームレンズシステム。
＜請求項１８＞
屈折力の修正及び収差補正の少なくとも１つを提供する追加の光学部品のセットを更に有し、前記追加の光学部品のセットが、球状面、非球状面及び自由形状面の少なくとも１つを含む、請求項１のズームレンズシステム。
＜請求項１９＞
前記追加の光学部品のセットが、前記光信号伝搬経路に対して実質的に横方向に位置が固定されている、請求項１８のズームレンズシステム。
＜請求項２０＞
前記４つのＭＥＭＳ駆動光学要素が、複数の実質的な自由形状面を有し、前記複数の実質的な自由形状面が、収差補正関数ｆ（ｘ，ｙ）が適用される初期規定されたアルバレスレンズ及び初期規定されたローマンレンズの１つに対応する、請求項１のズームレンズシステム。
＜請求項２１＞
前記収差補正関数ｆ（ｘ，ｙ）が、光学要素厚みプロファイルの修正に基づく、請求項２０のズームレンズシステム。
＜請求項２２＞
前記少なくとも４つのＭＥＭＳ駆動光学要素の１つ以上が、前記ズームレンズシステム内の前記少なくとも４つのＭＥＭＳ駆動光学要素の１つ以上の位置合わせを可能にする方向指示部のセットを含む、請求項１のズームレンズシステム。
＜請求項２３＞
少なくとも４つの微小機械（ＭＥＭＳ）駆動光学要素であって、前記少なくとも４つのＭＥＭＳ駆動光学要素のそれぞれが、光信号伝搬経路に沿って光信号を通過させるように構成され、前記少なくとも４つのＭＥＭＳ駆動光学要素のそれぞれが、少なくとも１つの自由形状面を有する、前記少なくとも４つのＭＥＭＳ駆動光学要素を提供するステップと、
第１及び第２のＭＥＭＳ駆動光学要素が第１の光学要素のペアを形成し、第３及び第４のＭＥＭＳ駆動光学要素が第２の光学要素のペアを形成するように、前記少なくとも４つのＭＥＭＳ駆動光学要素をペア式の構成で配置するステップを有し、
少なくとも１つのＭＥＭＳアクチュエータの起動が、前記第１及び第２の光学要素のペアの一方又は両方の屈折力の変化を許容するように、前記少なくとも４つのＭＥＭＳ駆動光学要素の１つ以上を前記光信号伝搬経路に対して実質的に横方向に変位させる、
光学ズームを提供する方法。
＜請求項２４＞
前記第１の光学要素のペアが、第１のバリフォーカルレンズを有し、前記第２の光学要素のペアが、第２のバリフォーカルレンズを有し、前記第１のレンズ要素を前記第２のレンズ要素に対して変位させることで、前記第１のバリフォーカルレンズの第１の焦点距離が変化する、請求項２３の方法。
＜請求項２５＞
前記第２のバリフォーカルレンズの第２の焦点距離を一定に保持しつつ、前記第１の焦点距離を変化させることによりオートフォーカス機能を提供するステップを更に有する、請求項２４の方法。
＜請求項２６＞
前記第１のバリフォーカルレンズの前記第１の焦点距離及び前記第２のバリフォーカルレンズの前記第２の焦点距離の組み合わされた調整により光学ズーム機能を提供するステップを更に有する、請求項２４の方法。
＜請求項２７＞
変位増幅機構で前記ＭＥＭＳアクチュエータの駆動を増幅するステップを更に有する、請求項２３の方法。
＜請求項２８＞
光学収差の低減又は屈折力の修正のために前記光信号伝搬経路に追加の光学要素を配置するステップを更に有する、請求項２３の方法。
＜請求項２９＞
可変開口を用いて前記ＭＥＭＳズームレンズシステムを通って伝搬する光の量を制限するステップを更に有する、請求項２３の方法。
＜請求項３０＞
前記少なくとも４つのＭＥＭＳ駆動光学要素を方向指示部のセットを用いて位置合わせするステップを更に有し、
前記方向指示部のセットが、前記ＭＥＭＳ駆動光学要素の１つ以上の前記自由形状面の少なくとも１つの基準軸に対応し、
前記少なくとも１つの基準軸が、前記自由形状面の厚みプロファイル変化軸に対して横方向であり、
前記位置合わせするステップが、
可動微小構造アセンブリにより担持される位置合わせ構造のセットを提供するステップと、
前記方向指示部のセットを前記位置合わせ構造のセットに対して位置合わせすることにより、前記可動微小構造アセンブリ及び前記ＭＥＭＳ駆動光学要素の１つ以上を空間的に位置合わせするステップを含む、請求項２３の方法。
＜請求項３１＞
第１の可動微小構造アセンブリを一体化されたユニットとして製作するステップであって、前記第１の可動微小構造アセンブリが、
概略平坦な第１の面、概略平坦な第２の面、及び、前記第１の面と前記第２の面の間の厚みを有し、レンズ要素を、前記レンズ要素の光軸が前記第１及び第２の面に実質的に垂直になるように担持するよう構成されたプラットホーム、
基準支持構造、
前記プラットホームと前記基準支持構造の間に結合された屈曲懸架部であって、前記レンズ要素の前記光軸に対して横方向に沿って弾性変形するよう構成された、前記屈曲懸架部、及び、
前記レンズ要素の前記光軸に対して横方向に沿う変位力を前記プラットホームに印加するよう構成された変位機構を有する、前記製作するステップと、
自由形状面を有する第１のレンズ要素を提供するステップと、
前記可動微小構造アセンブリに対する前記自由形状面の位置合わせを確立するステップを有する、ＭＥＭＳ型ズームレンズシステムの製造方法。
＜請求項３２＞
前記変位機構が、マイクロアクチュエータを有する、請求項３１の方法。
＜請求項３３＞
前記変位機構が、前記変位増幅機構と結合したマイクロアクチュエータを有する、請求項３１の方法。
＜請求項３４＞
前記第１の可動微小構造アセンブリが、ＳＯＩマイクロマシニングプロセスにより製作される、請求項３１の方法。
＜請求項３５＞
前記第１の可動微小構造アセンブリ及び前記第１のレンズ要素が、集合的に一体化されたユニットとして組み立てられる、請求項３１の方法。
＜請求項３６＞
前記第１のレンズ要素が、前記自由形状面の少なくとも１つの基準軸に対応する方向指示部のセットであって、前記少なくとも１つの基準軸前記が、前記自由形状面の厚みプロファイル変化軸に対して横方向である、前記方向指示部のセットを含み、
前記方法が、
前記可動微小構造アセンブリにより担持される位置合わせ構造のセットを提供するステップと、
前記方向指示部のセットを前記位置合わせ構造のセットに対して位置合わせすることにより前記第１のレンズ要素及び前記可動微小構造アセンブリを空間的に位置合わせするステップを更に有する、請求項３１の方法。
＜請求項３７＞
前記位置合わせ構造のセットが、回折格子を含む、請求項３６の方法。
＜請求項３８＞
（ａ）自由形状面を有する前記位置合わせされた第１のレンズ要素を有する前記第１の可動微小構造アセンブリと、（ｂ）自由形状面を有する位置合わせされた第２のレンズ要素を有する第２の可動微小構造アセンブリをペアにすることによりバリフォーカルレンズのセットを組み立てるステップを更に有する、請求項３１の方法。
＜請求項３９＞
前記第１のレンズ要素の前記自由形状面が、前記第２のレンズ要素の前記自由形状面に対応する、請求項３８の方法。
＜請求項４０＞
自由形状面を有するレンズ要素をレプリカモールドプロセスにより製作するステップを更に有する、請求項３１の方法。
＜請求項４１＞
前記レプリカモールドプロセスが、単刃ダイアモンド切削を介して製作された所望の自由形状面を有する原版モールドを用いるステップを含む、請求項４０の方法。
＜請求項４２＞
前記レンズ要素が、紫外光硬化型光学接着剤からなる、請求項４０の方法。
＜請求項４３＞
電子撮像装置であって、
光軸を横切る断面積を有し、前記光軸に沿って前記電子装置への光信号の伝搬を許容するよう構成された光学窓と、
前記光軸に沿って前記光学窓を通って伝搬する光信号を受けるように構成された微小機械（ＭＥＭＳ）ズームレンズシステムであって、
少なくとも４つのＭＥＭＳ駆動光学要素であって、
前記少なくとも４つのＭＥＭＳ駆動光学要素のそれぞれが自由形状面を有し、
第１及び第２のＭＥＭＳ駆動光学要素が第１の光学要素のペアを形成し、第３及び第４のＭＥＭＳ駆動光学要素が第２の光学要素のペアを形成するように、前記少なくとも４つのＭＥＭＳ駆動光学要素がペア式の構成で配置されており、
前記少なくとも４つのＭＥＭＳ駆動光学要素のそれぞれが、前記第１及び第２の光学要素のペアの一方又は両方の屈折力の変化を許容するように、前記光信号伝搬経路に対して実質的に横方向に変位可能である、前記少なくとも４つのＭＥＭＳ駆動光学要素を有する前記ＭＥＭＳズームレンズシステムと、
前記光軸に沿って前記ＭＥＭＳズームレンズシステムを通って伝搬する光信号を受けるよう構成された画像センサを有する、電子撮像装置。
＜請求項４４＞
前記電子装置が、パーソナルデジタルアシスタント、移動電話、タブレットコンピュータ、移動電話−タブレットコンピュータ混成装置、ラップトップコンピュータ、デスクトップコンピュータ、コンピュータモニタ、テレビ、ウェブカメラ、小型監視カメラ及び内視鏡のいずれか１つである、請求項４３の電子撮像装置。
＜請求項４５＞
前記光軸が、第１の光軸セグメント及び第２の光軸セグメントを有し、前記第２の光軸セグメントが、前記第１の光軸セグメントに非平行である、請求項４３の電子撮像装置。
＜請求項４６＞
前記第１の光軸セグメント及び前記第２の光軸セグが、相互に実質的に直角である、請求項４５の電子撮像装置。
＜請求項４７＞
前記ＭＥＭＳズームレンズシステムの機能が、重力、大気圧、ＭＥＭＳズームレンズシステムの物理的な移動のいずれにも実質的に影響されない、請求項４３の電子撮像装置。
＜請求項４８＞
前記画像センサ、及び、前記第１及び第２の光学要素のペアの少なくとも１つが、前記光軸に沿って相互に対して相対運動可能に構成されている、請求項４３の電子撮像装置。